(57)【要約】      （修正有）【課題】スピーディ且つ正確に保護シートを貼り合わせ、空気、気泡の発生防止を達成し、同時にカメラモジュール凸体に疵がつくのを防止し、またはぶつけたときの衝撃を保護する効果を達成するスマートフォンのマルチ撮影レンズの保護装置を提供する。【解決手段】保護装置は、保護シート２０、マルチレンズ定位板２３、第一粘着層２７、不透明印刷層２８および第二粘着層２９を有する。そのうちマルチレンズ定位板２３は少なくとも二つの透かし孔２４を設け、各透かし孔２４はスマートフォン１の撮影レンズ３にそれぞれ対応する。第一粘着層２７はマルチレンズ定位板２３の保護シート２０に面する側に設ける。不透明印刷層２８は保護シート２０の第一粘着層２７に面する側に設け第一粘着層２７と一体に接着する。および第二粘着層２９はマルチレンズ定位板２３の第一粘着層２７と反対の面に設ける。マルチレンズ定位板２３の透かし孔２４はそれぞれ撮影レンズ３上にスピーディに嵌合し、カメラモジュール凸体２表面に貼り合わせる。【選択図】図２
0003225158.tif 000002
【実用新案登録請求の範囲】
【請求項１】
主に保護シート、マルチレンズ定位板、第一粘着層、不透明印刷層および第二粘着層を有するスマートフォンのマルチ撮影レンズの保護装置において、そのうち、
スマートフォン上のカメラモジュール凸体の上表面輪郭形状に対応する前記保護シートと、
前記保護シートの輪郭形状に対応して成形し、それは少なくとも二つの透かし孔を設け，各前記透かし孔は前記カメラモジュール凸体上の撮影レンズの位置および形状にそれぞれ対応する前記マルチレンズ定位板と、
前記マルチレンズ定位板の形状に対応し，それは前記マルチレンズ定位板の前記保護シートに面する側に設ける前記第一粘着層と、
前記第一粘着層の形状に対応し、それは前記保護シートの前記第一粘着層に面する側に設け、並びに前記第一粘着層と一体に接着する前記不透明印刷層と、
前記マルチレンズ定位板の形状に対応し，それは前記マルチレンズ定位板の前記第一粘着層と反対の面に設ける前記第二粘着層と、を有し、
且つ前記第二粘着層、マルチレンズ定位板、第一粘着層および不透明印刷層の厚み合計は、前記カメラモジュール凸体から突出した前記撮影レンズの高さよりも大きいか、または同じとすることを特徴とするスマートフォンのマルチ撮影レンズの保護装置。
【請求項２】
前記保護シートは前記カメラモジュール凸体上のフラッシュに対応する保護シート第一通孔を設け，且つ前記マルチレンズ定位板は前記保護シート第一通孔に対応する第一定位板通孔を設けることを特徴とする請求項１記載のスマートフォンのマルチ撮影レンズの保護装置。
【請求項３】
前記保護シート第一通孔の孔周辺縁にはマスキングコート層をコーティングすることを特徴とする請求項２記載のスマートフォンのマルチ撮影レンズの保護装置。
【請求項４】
前記マスキングコート層は黒インクコーティング層であることを特徴とする請求項３記載のスマートフォンのマルチ撮影レンズの保護装置。
【請求項５】
前記保護シートは前記カメラモジュール凸体上のセンサーに対応する保護シート第二通孔を設け，且つ前記マルチレンズ定位板には前記保護シート第二通孔に対応する第二定位板通孔を設けることを特徴とする請求項２記載のスマートフォンのマルチ撮影レンズの保護装置。
【請求項６】
前記マルチレンズ定位板は、不透明の硬質プラスチック材またはアルミ合金材で製造することを特徴とする請求項１記載のスマートフォンのマルチ撮影レンズの保護装置。
【請求項７】
前記透かし孔内の保護シート下表面は防爆層をそれぞれ追加設置し、前記防爆層上方は第三粘着層を備えて前記保護シート下方と接着し、且つ前記第二粘着層、マルチレンズ定位板、第一粘着層および不透明印刷層の厚み合計から前記防爆層および第三粘着層の厚みを引いた厚み合計は、前記カメラモジュール凸体から突出した前記撮影レンズの高さよりも大きいか、または同じとすることを特徴とする請求項１記載のスマートフォンのマルチ撮影レンズの保護装置。
【請求項８】
前記不透明印刷層は黒インクコーティング層であることを特徴とする請求項１記載のスマートフォンのマルチ撮影レンズの保護装置。
【考案の詳細な説明】
【技術分野】
【０００１】
本考案は、スマートフォンのマルチ撮影レンズの保護装置に関するもので、特にマルチ撮影レンズの保護シートをスピーディに定位して接着し、同時にそのカメラモジュール凸体を保護し、並びに周りのホコリを吸着する機会を減らし、空気、気泡の発生を防止する効果を達成する。
【背景技術】
【０００２】
モバイル電子機器、例としてスマートフォンとタブレット端末．．．等は、その背面には通常カメラモジュールを備える。また公知のカメラモジュールは一個の撮影レンズを設置するだけであるが、技術の不断の発展および進歩により、モバイル電子機器の撮影機能は、大幅に向上している。しかしながら、モバイル電子機器の厚みは益々薄さが要求され、カメラ機能はより複雑な機能が要求されている。その中で、カメラモジュール、撮影レンズは一般に凸設方式でモバイル電子機器上に設置されている。スマートフォンを例に説明すると、図１に示すとおり、スマートフォン１のカメラモジュール凸体２には、撮影レンズ群４を形成する多数個の撮影レンズ３が凸設され、多数個の撮影レンズ３によって広角、マクロ、絞り調整および被写界深度．．．等異なる撮影効果を達成し、且つカメラモジュール凸体２には更にフラッシュ５およびセンサー６...等が配置される。しかしながら、この種の設置方式は、たとえスマートフォン１に保護シートを設置してもカメラモジュール凸体２、撮影レンズ３が外に出ているため、カメラモジュール凸体２、撮影レンズ３は引掻き疵および汚れ現象を受けやすい。そのため、ユーザは通常、各撮影レンズ３上に保護シートを別に貼り、それによって撮影レンズ群４の外観が傷つくのを保護する。しかし、カメラモジュール凸体２は保護されていない。更に一枚の保護シートを撮影レンズ３上に貼るのは一般に困難であり、ユーザの手指がレンズと同じくらい小さな保護シートを安定して挟むのは非常に困難であり、且つ保護シート底面の離型フィルムを剥がしたとき、手指周囲のホコリ粒子が吸着され、これらのホコリ粒子は貼着過程において、気泡を形成し、それは取り除きにくい。その他、保護シートを貼り合わせるとき、手指が視界を遮り、貼る箇所を合わせにくく、美観に影響し、機能性にも影響する。更に撮影レンズ群４の多数個の撮影レンズ３に各々保護シートを貼るのは、手間と時間を費やし、非常に面倒であるため、改善の必要がある。
【考案の概要】
【考案が解決しようとする課題】
【０００３】
上述の欠点を改善するため、本考案者は、積極的に研究開発をすすめ、スマートフォンのマルチ撮影レンズの保護装置を提供することにした。その技術および目的は保護シートをマルチレンズ定位板に貼着し、且つマルチレンズ定位板上にカメラモジュール凸体の撮影レンズに対応する複数の透かし孔をそれぞれ設け、マルチレンズ定位板に保護シートをスピーディに合わせて貼り合わせ、同時にカメラモジュール凸体の引掻き疵またはぶつけたときの衝撃を防止して保護し、周囲のホコリが付くのを減らし、保護シートを正確、便利に貼り合わせる効果を達成する。
【０００４】
本考案の別の目的として、保護シートには、フラッシュに対応する保護シート第一通孔を設け、且つ保護シート第一通孔の孔周辺縁にはマスキングコート層をコーティングし、且つ保護シートとマルチレンズ定位板の間には不透明印刷層を設ける。これらによって、フラッシュ光線が保護シート内に進入して屈折および導光を発生し、写真品質に白霧または青みがかり問題が起こるのを減らす。
【課題を解決するための手段】
【０００５】
本考案の上述の目的に基づき、スマートフォンのマルチ撮影レンズの保護装置を提供する。それは保護シート、マルチレンズ定位板、第一粘着層、不透明印刷層および第二粘着層を有する。
そのうち保護シートはスマートフォン上のカメラモジュール凸体の上表面輪郭形状に対応する。
マルチレンズ定位板は保護シートの輪郭形状に対応して成形し、それは少なくとも二つの透かし孔を設け，各透かし孔はカメラモジュール凸体上の撮影レンズの位置および形状にそれぞれ対応する。
第一粘着層はマルチレンズ定位板の形状に対応し，それはマルチレンズ定位板の保護シートに面する側に設ける。
不透明印刷層は第一粘着層の形状に対応し、それは保護シートの第一粘着層に面する側に設け、並びに第一粘着層と一体に接着する。
および第二粘着層はマルチレンズ定位板の形状に対応し，それはマルチレンズ定位板の第一粘着層と反対の面に設け、且つ第二粘着層、マルチレンズ定位板、第一粘着層および不透明印刷層の厚み合計は、カメラモジュール凸体から突出した撮影レンズの高さよりも大きいか、または同じとする。
【０００６】
本考案の一実施例において、そのうち保護シートには、カメラモジュール凸体上のフラッシュに対応する保護シート第一通孔を設け，且つマルチレンズ定位板は保護シート第一通孔に対応する第一定位板通孔を設ける。
【０００７】
本考案の一実施例において、そのうち保護シート第一通孔の孔周辺縁にはマスキングコート層をコーティングする。
【０００８】
本考案の一実施例において、そのうちマスキングコート層は黒インクコーティング層である。
【０００９】
本考案の一実施例において、そのうち保護シートには、カメラモジュール凸体上のセンサーに対応する保護シート第二通孔を設け，且つマルチレンズ定位板には保護シート第二通孔に対応する第二定位板通孔を設ける。
【００１０】
本考案の一実施例において、そのうちマルチレンズ定位板は、不透明の硬質プラスチック材またはアルミ合金材から製造する。
【００１１】
本考案の一実施例において、そのうち透かし孔内の保護シート下表面は防爆層をそれぞれ追加設置したし、防爆層上方は第三粘着層を備えて保護シート下方と接着し、且つ第二粘着層、マルチレンズ定位板、第一粘着層および不透明印刷層の厚み合計から防爆層および第三粘着層の厚みを引いた厚み合計は、カメラモジュール凸体から突出した撮影レンズの高さよりも大きいか、または同じとする。
【００１２】
本考案の一実施例において、そのうち不透明印刷層は黒インクコーティング層とする。
【００１３】
上述装置よって、マルチレンズ定位板の透かし孔が撮影レンズ上にそれぞれスピーディに嵌合し、並びにスプロでなくてもピーディ且つ正確に保護シートを貼り合わせ、空気、気泡の発生防止を達成し、同時にカメラモジュール凸体に疵がつくのを防止し、またはぶつけたときの衝撃を保護する効果を達成する。
【図面の簡単な説明】
【００１４】
【図１】本考案のスマートフォンカメラモジュールの撮影レンズ群の立体指示図である。
【図２】本考案のスマートフォンに取付けた立体分解図である。
【図３】本考案のスマートフォンに取付けた組立断面図である。
【図４】本考案の防爆層を追加設置した立体分解図である。
【図５】本考案の防爆層を追加設置した組立断面図である。
【考案を実施するための形態】
【００１５】
（一実施形態）  
本考案を更に理解するため、以下に良好な実施例を挙げ、図式とともに詳述する。
【００１６】
図２から図３に示すとおり、スマートフォンのマルチ撮影レンズの保護装置は、保護シート２０、マルチレンズ定位板２３、第一粘着層２７、不透明印刷層２８および第二粘着層２９を有する。
そのうち，保護シート２０は平面板体であり、それはスマートフォン１上のカメラモジュール凸体２上表面の輪郭形状に対応し、且つ保護シート２０にはカメラモジュール凸体２上のフラッシュ５に対応する保護シート第一通孔２１およびカメラモジュール凸体２上のセンサー６に対応する保護シート第二通孔２２を設け、且つ保護シート第一通孔２１の孔周辺縁にはマスキングコート層２１１をコーティングする。
マルチレンズ定位板２３は保護シート２０の輪郭形状に対応して成形し、そこにはは少なくとも二つの透かし孔２４を設け，各透かし孔２４はカメラモジュール凸体２上の撮影レンズ３にそれぞれ対応し、且つマルチレンズ定位板２３は、保護シート第一通孔２１に対応する第一定位板通孔２５および一保護シート第二通孔に対応２２する第二定位板通孔２６を設ける。
第一粘着層２７はマルチレンズ定位板２３の形状に対応し，それはマルチレンズ定位板２３の保護シート２０に面する側に設ける。
不透明印刷層２８は第一粘着層２７の形状に対応し、それは保護シート２０の第一粘着層２７に面する側に設け、更に不透明印刷層２８と第一粘着層２７を一体にして貼り合わせる。
および第二粘着層２９はマルチレンズ定位板２３の形状に対応し、それはマルチレンズ定位板２３の第一粘着層２７と反対の面に設け、更にカメラモジュール凸体２表面に貼り合わせ、且つ第二粘着層２９、マルチレンズ定位板２３、第一粘着層２７および不透明印刷層２８の厚み合計は、カメラモジュール凸体２から突出した撮影レンズ３の高さよりも大きいか、または同じとする。
上述装置よって、マルチレンズ定位板２３の透かし孔２４は撮影レンズ３上にそれぞれスピーディに嵌合し、プロでなくてもスピーディ且つ正確に保護シート２０を貼り合わせ、空気、気泡の発生を防止し、同時にカメラモジュール凸体２に疵がつくのを防止し、またはぶつけたときの衝撃を保護する効果を達成する。  
【００１７】
上述実施例の構造、作用について、以下に詳細に説明する。
図２から図３図に示すとおり、本考案は、単一モデルスマートフォン１のマルチ撮影レンズ３保護裝置であり、仮にカメラモジュール凸体２の規格が異なったとき、その撮影レンズ３の排列、大きさおよび数量は異なり、マルチレンズ定位板２３の透かし孔２４の形状もまた調整する。
マルチレンズ定位板２３は、不透明の硬質プラスチック材（例としてＰＣ板）またはアルミ合金材から製造するが、それに制限されず、使用時には定位および保護カメラモジュール凸体２を定位および保護する能力を備える。
保護シート２０は、耐引掻性、耐摩耗性の鋼強化ガラス材またはプラスチック透明シートでもよいが、それに制限されない。また第一粘着層２７は相対して高粘度のＯＣＡ光学接着剤であり、第二粘着層２９は相対して低粘度の両面接着剤であるが、それに制限されない。
本考案を撮影レンズ群４に貼り合わせる時、先ずスマートフォン１を平らに置いてカメラモジュール凸体２を上向きにする。ユーザは透明の保護シート２０を撮影レンズ群４に合わせ、且つ第二粘着層２９、マルチレンズ定位板２３、第一粘着層２７および不透明印刷層２８の厚み合計はカメラモジュール凸体から突出した撮影レンズ３の高さより高いか、または同じなので、各透かし孔２４がスムーズに撮影レンズ３上に嵌合されて保護シート２０底面を押さえず、また第二粘着層２９と非撮影レンズ３エリアのカメラモジュール凸体２との接着を妨げず、ユーザはスピーディにマルチレンズ定位板２３をカメラモジュール凸体２上に正確に対応させる。
続いて、ユーザは指で保護シート２０を軽く押さえ、各カメラモジュール凸体２とをしっかりと粘着させると、貼り合わせ作業は完成する。
上述装置よって、保護シート２０をスピーディに正しく貼り合わせ、空気、気泡の発生を減らし、およびカメラモジュール凸体２表面を保護して引掻き疵または直接ぶつけたときの衝撃を防止する効果を達成する。更にスマートフォン１のフラッシュ５の光線が保護シート２０本体を通過することで屈折または導光が発生して撮影レンズ３に影響を与え、写真の品質に白霧または青みがかりが起こるのを有効に減らす。そのため、保護シート第一通孔２１辺縁にマスキングコート層２１１を設け、保護シート２０下方には不透明印刷層２８を設け、およびマルチレンズ定位板２３は不透明材質とする。それらによって、フラッシュ光線が保護シート２０下方または辺縁からその本体内へ進入して屈折および導光が発生するのを減らす。これらから、撮影レンズ３の正常な写真品質を確保できる。良好なものとして、マスキングコート層２１１および不透明印刷層２８は黒インクコーティング層とするが、それに制限されない。
【００１８】
更に、図４から図５に示すとおり、透かし孔２４がある位置の保護シート２０下表面には、防爆層３０をそれぞれ追加設置し、防爆層３０上方は第三粘着層３１を備えて保護シート２０下方と接着する。且つ第二粘着層２９、マルチレンズ定位板２３、第一粘着層２７および不透明印刷層２８の厚み合計から防爆層３０および第三粘着層３１の厚みを引いた厚み合計はカメラモジュール凸体２から突出した撮影レンズ３の高さより高いか、または同じとし、強化ガラス材で製造した保護シート２０が撮影レンズ３部位に対応する事によって強度が増し、更に良好な撮影レンズ３を保護する能力を達成する。たとえ破砕することがあっても、強化ガラスの破片が飛び散らないという安全効果を有する。
【００１９】
以上の実施例は本考案の良好な実施例を挙げて説明するためだけのものであり、本考案の特徴を制限するものではなく、本考案に関連する技術手段、考案原理に基づく再考案はすべて本考案の請求範囲に含まれる。
【符号の説明】
【００２０】
１        スマートフォン
２        カメラモジュール凸体
２０        保護シート
２１        保護シート第一通孔
２１１        マスキングコート層
２２        保護シート第二通孔
２３        マルチレンズ定位板
２４        透かし孔
２５        第一定位板通孔
２６        第二定位板通孔
２７        第一粘着層
２８        不透明印刷層
２９        第二粘着層
３        撮影レンズ
３０        防爆層
３１        第三粘着層
４        撮影レンズ群
５        フラッシュ
６        センサー
【図１】
0003225158.tif 000003
【図２】
0003225158.tif 000004
【図３】
0003225158.tif 000005
【図４】
0003225158.tif 000006
【図５】
0003225158.tif 000007